(57)【特許請求の範囲】
【請求項１】
被洗浄車両に対して前後に相対移動して洗浄を行う門型の本体部と、前記被洗浄車両の外形を検知する車両検知センサと、前記本体部に配して前記被洗浄車両の上面に送風を行うトップ送風ノズルと、被洗浄車両の前方に配されるとともに表示による報知を行うとともにユーザが設定した洗車条件に関連する報告を行う案内部と、を備えた洗車機において、
前記被洗浄車両の前方から後方へ移動する前記トップ送風ノズルがフロントウィンドウを過ぎてから前記案内部の報知を行なわない状態から、報知を行う状態に切り替えて前記案内部による報知を開始することを特徴とする洗車機。
【請求項２】
前記案内部による報知は音声を含むことを特徴とする請求項１に記載の洗車機。
【発明の詳細な説明】
【技術分野】
【０００１】
本発明は、表示による報知を行う案内部を備えた洗車機に関する。
【背景技術】
【０００２】
給油所等に洗車機が設置される従来の洗車機は特許文献１に開示される。洗車機は被洗浄車両を跨ぎ門型に形成される本体部を備える。本体部は被洗浄車両に対して前後方向に相対移動し、トップブラシ及びトップ送風ノズルを備える。
【０００３】
トップブラシは本体部の上部に設けられ、駆動モータによって回転して被洗浄車両の上面を洗浄する。トップ送風ノズルは本体部の前面上部に設けられ、被洗浄車両の上面に空気を送出して乾燥させる。
【０００４】
ユーザが洗車条件を設定して洗車が開始されると、本体部が被洗浄車両を跨いで前後方向に移動する。トップブラシは被洗浄車両の上面に沿って被洗浄車両の前方から移動して洗浄する。その後、トップ送風ノズルも被洗浄車両の前方から移動し、被洗浄車両とは所定距離だけ離間して空気を送出する。これにより、洗浄が終了する。
【０００５】
また、一般的に本体部の後方（被洗浄車両の前方）には地面から立設して表示による報知を行う案内部が設けられる。案内部は洗浄中に被洗浄車両内で待機するユーザに対して洗車機のキャンペーン情報などを案内する。
【先行技術文献】
【特許文献】
【０００６】
【特許文献１】特開２０１０−６２６０号公報
【発明の概要】
【発明が解決しようとする課題】
【０００７】
しかしながら、上記従来の洗車機によると、ユーザの面前にトップ送風ノズルが位置している間、ユーザはトップ送風ノズルにより視覚が遮られる。このため、案内部からの案内を十分認識できないという問題がある。一方、洗浄終了後に案内部から案内するとユーザの待機時間が長くなるという問題がある。
【０００８】
本発明は、ユーザは洗浄中であっても案内部からの案内を認識できる洗車機を提供することを目的とする。
【課題を解決するための手段】
【０００９】
上記目的を達成するために本発明は、被洗浄車両に対して前後に相対移動して洗浄を行う本体部と、前記被洗浄車両の外形を検知する車両検知センサと、前記本体部に配して前記被洗浄車両の上面に送風を行うトップ送風ノズルと、被洗浄車両の前方に配されるとともに表示による報知を行う案内部と、を備えた洗車機において、前記被洗浄車両の前方から後方へ移動する前記トップ送風ノズルがフロントウィンドウを過ぎてから前記案内部による報知を開始することを特徴とする。
【００１０】
この構成によると、洗車が開始されると、本体部が被洗浄車両に対して前後方向に移動し、車両検知センサによって被洗浄車両のフロントウィンドウの位置が検知される。本体部によって被洗浄車両が洗浄されると、トップ送風ノズルは被洗浄車両の前方から後方へ空気を送出して移動する。この時、トップ送風ノズルがフロントウィンドウを過ぎてから案内部による報知を開始する。その後、トップ送風ノズルによる被洗浄車両の乾燥を終えて洗車が終了する。
【００１１】
また、本発明は上記構成の洗車機において、前記案内部の表示画面上の報知内容がスクロールすることを特徴とする。
【００１２】
また、本発明は上記構成の洗車機において、前記案内部の表示画面が時間に応じて切り替わることを特徴とする。
【発明の効果】
【００１３】
本発明によると、被洗浄車両の前方から後方へ移動するトップ送風ノズルがフロントウィンドウを過ぎてから案内部による報知を開始するため、洗浄中であっても案内部からの案内を認識できる洗車機を提供することができる。
【図面の簡単な説明】
【００１４】
【図１】本発明の実施形態の洗車機の全体構成を示す側面図
【図２】本発明の実施形態の洗車機の本体部の構成を示す正面図
【図３】本発明の実施形態の洗車機の全体構成を示す側面図
【図４】本発明の実施形態の洗車機の全体構成を示す側面図
【図５】本発明の実施形態の洗車機の全体構成を示す側面図
【図６】本発明の実施形態の洗車機の案内部を示す正面図
【図７】本発明の実施形態の洗車機の案内部を示す正面図
【図８】本発明の実施形態の洗車機の案内部を示す正面図
【発明を実施するための形態】
【００１５】
以下に本発明の実施形態を図面を参照して説明する。図１、図２は本発明の一実施形態の洗車機の全体構成を示す側面図及び正面図である。洗車機ＷＡは本体部１、レール２、リモートパネル７Ａ及び案内部４０を備えている。本体部２は左右の対向する２つのスタンド部９０と、スタンド部９０の上端を連結する天井部９１とを有して門型に形成される。
【００１６】
レール２は地面Ｇに左右一対設けられ、本体部１の底面に設けた車輪３がレール２上に配される。これにより、本体部１は走行モータ（不図示）の駆動によりレール２上を走行して被洗浄車両ＣＡに対して前後に相対移動するように立設される。
【００１７】
リモートパネル７Ａは本体部１の進入経路上に配される。被洗浄車両ＣＡはリモートパネル７Ａの面前で停車する。ユーザは被洗浄車両ＣＡ内からリモートパネル７Ａの操作によって洗車の受け付け等の操作を行う。
【００１８】
案内部４０は本体部１の後方（被洗浄車両ＣＡに対して前方）に地面Ｇから支柱４２を介して立設される。案内部４０はＬＥＤ光源を備えた表示部４１及び音声部（不図示）を備える。案内部４０による音声又は表示による報知はリモートパネル７Ａからの洗車条件や本体部１の動作状況に関連して行われる。
【００１９】
本体部１の一側方には洗剤やワックス等の各種液剤を貯液した複数の貯液タンク（不図示）を収納するタンク収納部５０が配される。タンク収納部５０の上方には市水及び各貯液タンクからの液剤を分配する分配配管部５１が設けられる。分配配管部５１には第１、第２浄水ノズル１１、１３、第１、第２洗剤ノズル１２、１５、撥水コートノズル１４、ワックスノズル１６がそれぞれ電磁弁を介して導出される。
【００２０】
第１、第２浄水ノズル１１、１３は本体部１の手前側及び奥側にそれぞれ配され、被洗浄車両ＣＡに対して市水を噴射する。第１、第２洗剤ノズル１２、１５は本体部１の手前側及び奥側にそれぞれ配され、被洗浄車両ＣＡに対して洗剤（シャンプー）を噴射する。また、電磁弁の切り替えによって第１、第２洗剤ノズル１２、１５から高級な洗剤が噴射される。
【００２１】
撥水コートノズル１４は本体部１の奥側に配され、被洗浄車両ＣＡに対して撥水コート剤を噴射する。また、電磁弁の切り替えによって撥水コートノズル１４から高級な撥水コート剤や特殊なコート剤が噴射される。ワックスノズル１６は本体部１の奥側に配され、被洗浄車両ＣＡに対してワックスを噴射する。また、電磁弁の切り替えによってワックスノズル１６から高級なワックスが噴射される。
【００２２】
本体部１の天井部９１には車両検知センサ８が設けられ、両スタンド部９０には車両検知センサ９が設けられる。車両検知センサ８、９は光電センサや超音波センサ等により形成され、本体部１の走行によって被洗浄車両ＣＡのフロントウィンドウＷ（図３参照）の位置や外面形状を検知する。
【００２３】
本体部１の一方のスタンド部９０の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００２４】
操作パネル７及びリモートパネル７Ａに設けたボタンにより、シャンプー、ワックス掛け、撥水コート等を水洗いに追加して洗車条件を設定することができる。また、高級なシャンプー、高級なワックス、高級な撥水コート、特殊なコート等を行うボタンも操作パネル７及びリモートパネル７Ａに設けられる。更に、フロントガード有り、フェンダーポール有り、サイドミラー有り、リヤワイパー有り、ルーフキャリア有り、該当装備品無し等の装備品設定ボタンが設けられている。
【００２５】
本体部１には被洗浄車両ＣＡ上に摺動してブラッシングする複数の回転ブラシが設けられる。回転ブラシは駆動モータ（不図示）によって回転駆動され、回転負荷に応じて被洗浄車両ＣＡに対して接離する。回転ブラシはサイドブラシ５、トップブラシ４及びロッカーブラシ６から成っている。
【００２６】
トップブラシ４は軸部（不図示）にブラシ毛（不図示）を放射状に固着して形成される。昇降モータ（不図示）によってトップブラシ４が昇降し、被洗浄車両ＣＡに対して接離する。これにより、トップブラシ４が被洗浄車両ＣＡに沿って移動し、被洗浄車両ＣＡの上面が洗浄される。
【００２７】
サイドブラシ５は左右に一対設けられ、トップブラシ５と同様に軸部（不図示）にブラシ毛（不図示）を放射状に固着して形成される。ロッカーブラシ６は左右一対設けられ、被洗浄車両ＣＡのタイヤを含む側面下部を洗浄する。ロッカーブラシ６もトップブラシ４と同様に軸部（不図示）にブラシ毛（不図示）を放射状に固着して形成される。
【００２８】
本体部１には被洗浄車両ＣＡを乾燥させる気流を発生するブロア２０が設けられる。ブロア２０にはトップ送風ノズル２１及びサイド送風ノズル２２が接続される。トップ送風ノズル２１は本体部１の中央上部に設けられ、被洗浄車両ＣＡに沿って昇降して被洗浄車両ＣＡの上面に向けて送風する。
【００２９】
サイド送風ノズル２２は本体部１の両側部に設けられ、被洗浄車両ＣＡの側面に向けて送風する。トップ送風ノズル２１及びサイド送風ノズル２２の送風によって洗浄後の被洗浄車両ＣＡを乾燥させる。
【００３０】
上記構成の洗車機ＷＡにおいて、ユーザは本体部１と離れた所定の位置で被洗浄車両ＣＡを停止する。そして、被洗浄車両ＣＡ内から手を伸ばしてリモート操作パネル７Ａにより所望の洗車設定を行う。
【００３１】
図３、図４及び図５は洗浄状態における洗車機ＷＡの側面図である。洗車が開始されると、本体部１が被洗浄車両ＣＡに対して前後方向に移動し、車両検知センサ８、９によって被洗浄車両ＣＡのフロントウィンドウの位置等の外形が検知される。本体部１に備えられる回転ブラシ（トップブラシ４、サイドブラシ５及びロッカーブラシ６）よって被洗浄車両ＣＡが洗浄される。
【００３２】
回転ブラシによる洗浄の後、図３に示すように車両検知センサ８、９で検出した外形に沿ってトップ送風ノズル２１及びサイド送風ノズル２２は気流を発生して被洗浄車両ＣＡを乾燥させる。この時、トップ送風ノズル２１及びサイド送風ノズル２２は被洗浄車両ＣＡと所定距離だけ離間して空気を送出し、被洗浄車両ＣＡの前方から後方へ移動する。
【００３３】
その後、図４に示すように本体部１は被洗浄車両ＣＡの後方に移動する。トップ送風ノズル２１が被洗浄車両ＣＡのフロントウィンドウＷの上端を過ぎると案内部４０からの案内が開始される。案内部４０からの報知は図６に示すように表示部４１上の報知内容Ｍ（例えば「★１２月末まで  オイル交換無料！！」等の文字情報）がスクロールする。この時、音声による報知も行ってもよい。
【００３４】
これにより、ユーザはトップ送風ノズル２１によって視界が邪魔されることなく、案内部４０の報知内容を視認できる。また、洗浄中による案内のため、ユーザの待機時間が長くなることはない。
【００３５】
その後、図５に示すように本体部１は被洗浄車両ＣＡの後方に移動し、トップ送風ノズル２１は被洗浄車両ＣＡの後部を乾燥させて洗車が終了する。
【００３６】
また、案内部４０からの報知は図７、図８に示すように案内部４０の表示画面を時間に応じて切り替えて報知内容Ｍを表示してもよい。この時、報知内容Ｍはユーザが設定した洗車条件に関連する内容を表示してもよい。
【００３７】
本実施形態によると、被洗浄車両ＣＡの前方から後方へ移動するトップ送風ノズル２１がフロントウィンドウＷを過ぎてから案内部４０による報知を開始するため、ユーザは洗浄中であっても案内部４０からの案内を十分認識できる。
【００３８】
また、案内部４０の表示画面上の報知内容Ｍがスクロールするため、ユーザが報知内容Ｍの前半部分を見逃すことなく認識することができる。
【００３９】
また、案内部４０の表示画面が時間に応じて切り替わるため、ユーザが報知内容Ｍの前半部分を見逃すことなく認識することができる。
【産業上の利用可能性】
【００４０】
本発明によると、表示による報知を行う案内部を備えた洗車機に利用することができる。
【符号の説明】
【００４１】
１      洗車機本体
４      トップブラシ
５      サイドブラシ
６      ロッカーブラシ
７      操作パネル
７Ａ    リモートパネル
８、９  車両検知センサ
２１    トップ送風ノズル
４０    案内部
ＣＡ    被洗浄車両
ＷＡ    洗車機
Ｗ      フロントウィンドウ
【図１】
0005724882.tif 000002
【図２】
0005724882.tif 000003
【図３】
0005724882.tif 000004
【図４】
0005724882.tif 000005
【図５】
0005724882.tif 000006
【図６】
0005724882.tif 000007
【図７】
0005724882.tif 000008
【図８】
0005724882.tif 000009